(57)【要約】      （修正有）【課題】小径ル−プ状紐を引いて女性のワンピ−ス等の背中部分に設けられた手の届き難いファスナ−を他人の手を借りずに容易に開閉し、小型なので嵩張らず、ハンドバッグや洋服の所要箇所に仕舞えるので携帯にも便利であるファスナー開閉具の提供。【解決手段】ファスナ−開閉具は、女性の首廻りにネックレスの様に取外し自在に掛けられる所要長さのル−プ状紐と、ル−プ状紐の所要箇所に一端が連結され、他端がファスナ−のスライダ−の貫通孔に予め嵌合される小径ル−プ状紐とから成る。【選択図】図１
0003109404.tif 000002
【実用新案登録請求の範囲】
【請求項１】
女性の首廻りにネックレスの様に取外し自在に掛けられる所要長さのル−プ状紐と、該ル−プ状紐の所要箇所に一端が連結され、他端がファスナ−のスライダ−の貫通孔に予め嵌合される小径ル−プ状紐とから成り、該小径ル−プ状紐を引くことにより女性のワンピ−ス等の背中部分に設けられた手の届き難いファスナ−を他人の手を借りずに容易に開閉可能とするファスナ−開閉具。
【請求項２】
該ル−プ状紐の所要箇所に連結され、該ファスナ−の該スライダ−の該貫通孔に嵌合されるフックとから成る請求項１記載のファスナ−開閉具。
【請求項３】
該ル−プ状紐の所要箇所に連結され、該ファスナ−の該スライダ−に嵌合される滑り止めを有するクリップとから成る請求項１記載のファスナ−開閉具。
【請求項４】
所要の長さと僅かに違う所要の直径とした複数のパイプを互いに長手方向に摺動且つ伸縮自在に嵌合されて構成される柄と、該柄の先端に設けられ、ファスナ−のスライダ−の貫通孔に嵌合されるフックとから成り、該柄を引くことにより、女性のワンピ−ス等の背中部分に設けられた手の届き難いファスナ−を他人の手を借りずに容易に開閉可能とするファスナ−開閉具。
【請求項５】
巻尺タイプのテ−プの先端にフックを設け、該フックをファスナ−のスライダ−の貫通孔に嵌合して成り、該テ−プを引いて女性のワンピ−ス等の背中部分に設けられた手の届き難いファスナ−を他人の手を借りずに容易に開閉可能とするファスナ−開閉具。
【考案の詳細な説明】
【技術分野】
【０００１】
この考案は、ファスナ−開閉具に関し、更に詳しくは女性のワンピ−ス等の背中部分に設けられた手の届き難いファスナ−を他人の手を借りずに容易に開閉可能とし、且つ携帯に容易なファスナ−開閉具に関するものである。
【背景技術】
【０００２】
女性のワンピ−ス等の背中部分に設けられた手の届き難いファスナ−は、手探り状態なので他人の手を借りないと容易に開閉できず、特にファスナ−を閉めることが難しく、身近に家族や親しい人があれば容易に頼めるが、単身赴任の女性、小家族、高齢者又は運動不足ぎみの女性或いは最近増加している肥満女性にとっては、ファスナ−の開閉が極めて難しい。
【０００３】
従来ファスナ−・テ−プ本体、務歯（ファスナ−・エレメント）及び咬合子（滑動部、スライダ−）等やそれらの製造法に関する発明、考案は、莫大な量が出願されている。
例えば
【特許文献１】特公開５７−１７６０１、「スライド・ファスナ−・ストリンガ−」、
【特許文献２】特公昭６０−３９００３、「折込まれ接着され連続的接合エレメントを有するスライド・ファスナ−及びこれを製作する方法ならびに装置」、
【特許文献３】特開平６−３６７６０５、「絵付きファスナ−チェーンの製造法」、
【特許文献４】特開平７−７９８１５、「スライド・ファスナ−用テ−プおよびスライド・ファスナ−」、
【特許文献５】実公昭３９−２２５０２、「スライド・ファスナ−」、
【特許文献６】実公昭４０−１７５４９、「ファスナ−」、
【特許文献７】実公昭４４−３０４７、「帯類の結合装置」、
【特許文献８】実公昭４９−９４４５、「ファスナ−」、
【特許文献９】実公開５５−１６６５１０、「ファスナ−」、等が挙げられる。
【考案の開示】
【考案が解決しようとする課題】
【０００４】
しかし、これらいずれの文献にも女性のワンピ−ス等の背中部分に設けられた手の届き難いファスナ−を他人の手を借りずに容易に開閉可能とし、且つ携帯に容易なファスナ−開閉具に関するものは提案されていない。
【課題を解決するための手段】
【０００５】
この考案の第１要旨は、女性の首廻りにネックレスの様に取外し自在に掛けられる所要長さのル−プ状紐と、該ル−プ状紐の所要箇所に一端が連結され、他端がファスナ−のスライダ−の貫通孔に予め嵌合される小径ル−プ状紐とから成り、該小径ル−プ状紐を引くことにより女性のワンピ−ス等の背中部分に設けられた手の届き難いファスナ−を他人の手を借りずに容易に開閉可能とするファスナ−開閉具である。
【０００６】
この考案の第２要旨は、女性の首廻りにネックレスの様に取外し自在に掛けられる所要長さのル−プ状紐と、該ル−プ状紐の所要箇所に連結され、ファスナ−のスライダ−の貫通孔に嵌合されるフックとから成り、該ル−プ状紐を引くことにより女性のワンピ−ス等の背中部分に設けられた手の届き難いファスナ−を他人の手を借りずに容易に開閉可能とするファスナ−開閉具である。
【０００７】
この考案の第３要旨は、女性の首廻りにネックレスの様に取外し自在に掛けられる所要長さのル−プ状紐と、該ル−プ状紐の所要箇所に連結され、ファスナ−のスライダ−に係合される滑り止めを有するクリップとから成り、該ル−プ状紐を引くことにより女性のワンピ−ス等の背中部分に設けられた手の届き難いファスナ−を他人の手を借りずに容易に開閉可能とするファスナ−開閉具である。
【０００８】
この考案の第４要旨は、所要の長さと僅かに違う所要の直径とした複数のパイプを互いに長手方向に摺動且つ伸縮自在に嵌合されて構成される柄と、該柄の先端に設けられ、ファスナ−のスライダ−の貫通孔に嵌合されるフックとから成り、該フックを引くことにより、女性のワンピ−ス等の背中部分に設けられた手の届き難いファスナ−を他人の手を借りずに容易に開閉可能とするファスナ−開閉具である。
【０００９】
この考案の第５要旨は、巻尺タイプのテ−プの先端にフックを設け、該フックをファスナ−のスライダ−の貫通孔に嵌合して成り、該テ−プを引いて女性のワンピ−ス等の背中部分に設けられた手の届き難いファスナ−を他人の手を借りずに容易に開閉可能とするファスナ−開閉具である。
【考案の効果】
【００１０】
（１）この考案に係るファスナ−開閉具によれば、女性のワンピ−ス等の背中部分に設けられた手の届き難いファスナ−を、身近に家族や親しい人がいなく、又は単身赴任の女性、小家族、高齢者、運動不足ぎみの女性或いは最近増加している肥満女性でも、他人の手を借りずに容易に開閉可能となる。
【００１１】
（２）この考案に係るファスナ−開閉具は、女性の首廻りにネックレスの様に取外し自在に掛けられるのでネックレスの機能を有するものである。
【００１２】
（３）この考案に係るファスナ−開閉具は、所要長さのル−プ状紐と、構成が簡易であるから製作が容易で安価に製作でき、取扱も容易であり、且つ安全に使用可能である。
【００１３】
（４）この考案に係るファスナ−開閉具は、構成が小型なので嵩張らず、そのままハンドバッグや洋服の所要箇所に仕舞えるので携帯に極めて便利である。
【考案を実施するための最良の形態】
【００１４】
この考案の女性の首廻りにネックレスの様に取外し自在に掛けられる所要長さのル−プ状紐の所要箇所に、ファスナ−のスライダ−の貫通孔に予め嵌合される小径のル−プ状紐とから成り、該ル−プ状紐を引くことにより女性のワンピ−ス等の背中部分に設けられた手の届き難いファスナ−を他人の手を借りずに容易に開閉可能とするファスナ−開閉具である。
【実施例】
【００１５】
図１〜４に於いて、請求項１記載のファスナ−・テープ１０に設けられるファスナ−開閉具２０は、女性の首廻りにネックレスの様に取外し自在に掛けられる所要長さのル−プ状紐２２の所要箇所に所要長さの小径ル−プ状紐２４の一端を連結し、該小径ル−プ状紐２４を予め該ファスナ−・テープ１０のファスナ−１２のスライダ−１４の貫通孔１４aに貫通後その他端を該小径ル−プ状紐２４に連結する。
所要に応じ、該小径ル−プ状紐２４に所望のアクセサリー２５を設ける。
【００１６】
図５に示す通り、該スライダ−１４の貫通孔１４aに嵌合したリング１４ｂに該ル−プ状紐２２を貫通して小径ル−プ状紐２４の一端を連結する。従って、該小径ル−プ状紐２２を引くことにより女性のワンピ−ス等の背中部分に設けられた手の届き難いファスナ−１２を他人の手を借りずに容易に開閉可能とする。
【００１７】
請求項２記載の装着用テ−プ１０に設けられるファスナ−開閉具２０は、女性の首廻りにネックレスの様に取外し自在に掛けられる所要長さのル−プ状紐２２の所要箇所に所要長さの小径ル−プ状紐２４の一端を連結し、該小径ル−プ状紐２４を予めファスナ−布１０のファスナ−１２のスライダ−１４の貫通孔１４aに貫通後その他端を該小径ル−プ状紐２４に連結し、該小径ル−プ状紐２４の所要箇所にフック２８を連結し、ファスナ−１２のスライダ−１４の貫通孔１４aに嵌合させる構成とする。
【００１８】
図７に示す通り、該フック２８に、戻りばね（図示せず）を介して留め片２８eを設け、該フック２８の安全性を図るものとする。
具体的には、柄２６の先端に設けられる金属製又は合成樹脂製フック２８は、垂直杆２８aの先端に鉤状部２８bを一体に設け、該垂直杆２８aと該鉤状部２８bとの連結部２８cに該鉤状部２８bの下端をピン２８ｄを介して枢支し、ばね（図示せず）を介して該留め片２８ｅの上端を常時外側（反時計方向）に附勢し、該留め片２８ｅの上端を該鉤状部２８ｂと接触させ、該留め片２８ｅを内側に押した場合にのみ該ピン２８ｄを支点として時計方向に部分的に回転して該留め片２８ｅが内側に附勢される構成とする。
【００１９】
図８、９に於いて、請求項３記載のファスナ−開閉具２０は、女性の首廻りにネックレスの様に取外し自在に掛けられる所要長さのル−プ状紐２２の所要箇所にファスナ−１２のスライダ−１４に係合される布等の滑り止め３０ａを有するクリップ３０を連結し、該ル−プ状紐２２を引くことにより女性のワンピ−ス等の背中部分に設けられた手の届き難いファスナ−を他人の手を借りずに容易に開閉可能とするファスナ−開閉具２０を得る。
従って、該スライダ−１４と該クリップ３０共に金属製でも該クリップ３０に該滑り止め３０ａを設けたので
該小径ル−プ状紐２４を引っ張っても容易に該クリップ３０が該スライダ−１４から離脱しない。
【００２０】
図６、７に於いて、請求項４記載のファスナ−開閉具２０は、所要の長さと僅かに違う所要の直径とした複数の金属製又は合成樹脂製パイプ２６ａ、２６ｂ・・・を互いに長手方向に摺動且つ伸縮自在に嵌合されて構成される柄２６とし、該柄２６の先端に設けられ、ファスナ−のスライダ−の貫通孔に嵌合されるフック２８とから成り、該フック２８を引くことにより、女性のワンピ−ス等の背中部分に設けられた手の届き難いファスナ−を他人の手を借りずに容易に開閉可能となる。
【００２１】
図１０に於いて、この考案の請求項５記載のファスナ−開閉具１２は、巻尺ケース４０内にコイル・バネ（図示せず）を介して設けられたテ−プ４２の先端にフック又は小径ル−プ状紐（図示せず）を設ける。
【００２２】
該フック２８を該スライダ−１４の該貫通孔１４ａに嵌合し、又は該小径ル−プ状紐２４を該スライダ−本体１４に係合して他人の手を借りずに手の届き難いファスナ−を容易に開閉可能とし、携帯にも便利となり、該留め片２８ｅを設けたので取扱が安全である。
【図面の簡単な説明】
【００２３】
【図１】この考案に係る女性の首廻りにネックレスの様に取外し自在に掛けられる請求項１記載のル−プ状紐ファスナ−開閉具の実施例の一部切欠背面略図である。
【図２】図１のファスナ−・テープの部分拡大略図である。
【図３】図２に示すファスナ−・テープのスライダ−の部分拡大略図である。
【図４】女性の首廻りにネックレスの様に取外し自在に掛けられるル−プ状紐に連結され、ファスナ−のスライダ−の貫通孔に予め嵌合される小径ル−プ状紐とから成るファスナ−開閉具の実施例の一部切欠拡大正面略図である。
【図５】図４に示すファスナ−開閉具の他の実施例の一部切欠拡大正面略図である。
【図６】請求項４記載の複数のパイプから成る柄を有するファスナ−開閉具の部分透視拡大正面略図である。
【図７】図６に示すファスナ−開閉具のフックの部分拡大正面略図である。
【図８】請求項４記載のファスナ−開閉具のクリップでファスナ−を係合している状態を示す実施例の拡大側面略図である。
【図９】図８の拡大平面略図である。
【図１０】請求項５記載のファスナ−開閉具のクリップでファスナ−を係合している状態を示す実施例の拡大側面略図である。
【符号の説明】
【００２４】
１０    ファスナ−・テ−プ；
１２      ファスナ−；
１４      スライダ−；
１４a      貫通孔；
１４ｂ      リング；
２０      ファスナ−開閉具；
２２      ル−プ状紐；
２４      小径ル−プ状紐；
２６      柄；
２６a、２６ｂ・・・パイプ；
２８      フック；
２８a      垂直杆；
２８b      鉤状部；
２８c      連結部；
２８ｄ      ピン；
２８ｅ      留め片；
３０      クリップ；
３０ａ      滑り止め；
３２      ル−プ状紐；
４０      巻尺ケース；
４２      テ−プ。
【図１】
0003109404.tif 000003
【図２】
0003109404.tif 000004
【図３】
0003109404.tif 000005
【図４】
0003109404.tif 000006
【図５】
0003109404.tif 000007
【図６】
0003109404.tif 000008
【図７】
0003109404.tif 000009
【図８】
0003109404.tif 000010
【図９】
0003109404.tif 000011
【図１０】
0003109404.tif 000012